(57)【特許請求の範囲】
【請求項１】
送風される空気中の水分を吸湿した回転式除湿材に加熱空気を送風し該回転式除湿材を再生するための再生空気加熱装置において、
加熱部を収納し、上記除湿材と対向する部分が空気の吹出し口となるケースと、
上記ケースの側面に、該ケースに空気を送風し上記吹出し口を介して上記除湿材へと送風するために形成された開口部と、を備え、
上記加熱部を、上記開口部と上記加熱部との間に空間が形成されるように上記ケース内に配置し、該ケース内で上記開口部から送風される空気を、上記加熱部を通り上記吹出し口へ導く第１の経路、上記空間部分より上記吹出し口へと導く第２の経路を形成し、
上記ケースの吹出し口の周縁を覆い、上記開口部より送風される空気を上記第１の経路、第２の経路を経由して吹出すための開口穴を形成した蓋を設け、
上記蓋の開口穴を、上記ケースの吹出し口より小さく形成したことを特徴とする再生空気加熱装置。
【請求項２】
上記蓋に、回転式除湿材側に向かって凸状が形設されていることを特徴とする請求項１記載の再生空気加熱装置。
【請求項３】
上記ケースは、吹出し口の周囲の外側にフランジが形成され、
上記蓋は、上記ケースの吹出し口と対応した開口穴の周縁が、回転式除湿材と反対側に縁立されていることを特徴とする請求項１記載の再生空気加熱装置。
【請求項４】
請求項１〜３のいずれかに記載の再生空気加熱装置を備えた除湿機であって、
上記回転式除湿材に対向して配置された上記再生空気加熱装置は、該再生空気加熱装置の第１の経路が、第２の経路より上記回転式除湿材の回転方向の上流側になるように配置されていることを特徴とする除湿機。
【発明の詳細な説明】
【０００１】
【発明の属する技術分野】
本発明は、回転式除湿材を備えた除湿機の再生空気加熱装置に関するものである。
【０００２】
【従来の技術】
従来のこの種の回転式除湿材を備えた除湿機は図６及び図７に示すように構成するものであり、図６は従来の除湿機の全体構成の説明図、図７は図６の加熱部の構成の説明図である。
【０００３】
図６及び図７において、除湿ローター３１は平面シートに片波成形体を巻回したハニカムローターの表面や内部にゼオライト（吸湿剤）を担持させたもので、ゼオライトには潮解現象がなく、結晶質で安定した細孔構造を持ち、水分吸着に対して劣化が少なく、長期間安定した吸湿作用を有する。
【０００４】
また、被除湿空気３２は除湿ファン４５に吸引され、フィルター３３で粗いゴミを取り去り、凝縮器３４を通過し、後述のように、暖かく湿った凝縮器３４内部の再生空気を冷却し、再生空気中の水分を結露させる。そして、凝縮器３４を通過した被除湿空気３２は除湿ローター３１を通過し、吸湿剤に吸湿させ、乾燥空気３６となり、熱回収熱交換器３５にて熱回収後、室内に放出される。
【０００５】
また、吸湿した除湿ローター３１の吸湿剤を再生させるため、再生ヒーターである加熱部９（図７を参照）にて再生空気を２００°Ｃ〜２５０°Ｃに加熱した空気の開口穴７と、再生空気を加熱しない空気のスリット穴８とから、除湿ローター３１に再生ファン３８により送風する。
【０００６】
そして、加熱された再生空気は除湿ローター３１の吸湿剤から水分を受け取り、暖かく湿った空気となり、凝縮器３４にて冷却され、水分を結露させて排出する。結露水３９は水受タンク４０に導かれ、水受タンク４０には水位を検知する図示しないフロートスイッチを備え、所定の水位を検知すると、備えられている揚水ポンプ４１を運転し、揚水チューブ４８を経て貯水タンク４２に結露水３９を蓄える。
【０００７】
上記除湿ローター３１は図示しない駆動モーターで回転されており、被除湿空気３２が通過する吸湿部４６と加熱された熱風が通過する再生部４７は少しづつ回転移動しており、吸湿してもまた再生され、連続的に使用可能であり、また、除湿ローター３１に加熱された熱風が通過し少しづつ回転移動するため、除湿ローター３１は暖められている。
【０００８】
そして、ここに被除湿空気３２が通過するため、通過後の暖められた乾燥空気３６で、熱回収熱交換器３５に熱を回収し、該熱回収熱交換器３５の内部には凝縮器３４で結露水３９を排出した後の再生空気が通過し、暖められた分だけ、再生ヒーターである加熱部９の電力を節約できる。
【０００９】
【発明が解決しようとする課題】
上記のように構成してなる従来のものであれば、圧縮機を備えた冷凍サイクル方式の除湿機に比べて、振動がなく、音が静かで、製品形状が小さく、重量も軽い、かつ低湿度にても除湿能力がある等の特徴を有し、回転式除湿材を備えた除湿機の特徴を活かし、除湿効率のよいコンパクトな商品になっているが、除湿能力を上げるために、再生ヒータのワット数を大きくするために、加熱部周辺の温度は高くなり、加熱部の吹出し口部の温度は高く、その温度によって熱膨張して膨らみ、除湿ローターとの距離がなくなり、除湿ローターと接触することや、再生空気が漏れたりして除湿能力が低下する問題がある。
【００１０】
本発明は上記の点に鑑み、再生効率（除湿）を上げるために、加熱部の再生空気の漏れをなくし、除湿ローターとの距離を確保することで、更により快適に、省エネルギーを追及した除湿機の再生空気加熱装置を提供するものである。
【００１１】
【課題を解決するための手段】
本発明の再生空気加熱装置は上記課題を解決するために、送風される空気中の水分を吸湿した回転式除湿材に加熱空気を送風し該回転式除湿材を再生するための再生空気加熱装置において、
加熱部を収納し、上記除湿材と対向する部分が空気の吹出し口となるケースと、
上記ケースの側面に、該ケースに空気を送風し上記吹出し口を介して上記除湿材へと送風するために形成された開口部と、を備え、
上記加熱部を、上記開口部と上記加熱部との間に空間が形成されるように上記ケース内に配置し、該ケース内で上記開口部から送風される空気を、上記加熱部を通り上記吹出し口へ導く第１の経路、上記空間部分より上記吹出し口へと導く第２の経路を形成し、
上記ケースの吹出し口の周縁を覆い、上記開口部より送風される空気を上記第１の経路、第２の経路を経由して吹出すための開口穴を形成した蓋を設け、
上記蓋の開口穴を、上記ケースの吹出し口より小さく形成したものである。
【００１２】
また、上記蓋に、回転式除湿材側に向かって凸状が形成されたものであり、そして、上記ケースに、吹出し口の周囲の外側にフランジを形成し、上記蓋は、上記ケースの吹出し口に対応した開口穴の周縁が、除湿材と反対側に縁立されている構成である。
さらに、上記再生空気加熱装置を備えた除湿機は、上記回転式除湿材に対向配置される上記再生空気加熱装置を、該再生空気加熱装置の第１の経路が、第２の経路より上記回転式除湿材の回転方向の上流側に配置されている。
【００１３】
【発明の実施の形態】
以下、本発明の除湿機の再生空気加熱装置の実施の形態について図１乃至図５と共に説明するが、上記従来例と同一又は同等の機能のものについては、特に記載したものを除き、同一符号を用いて説明する。
【００１４】
図面において、図１は本発明の実施の形態に係る除湿機の全体構成の説明図、図２は本発明の実施の形態に係る除湿機の再生ヒータ・再生ファン・熱回収熱交換器部分の斜視図、図３は本発明の実施の形態に係る加熱部の平面図、図４は本発明の実施の形態に係る再生ヒーターの平面図、図５は本発明の実施の形態に係る加熱部のＡ−Ａ断面図である。
【００１５】
図１乃至図５において、吸湿剤を担持した除湿ローター３１、この除湿ローター３１の再生部４７に再生空気を送るシロッコファンケーシング４３、モータ４４を備えた再生ファン３８を熱回収熱交換器３５に取り付け、これらを仕切板２２に固定する。
【００１６】
そして、再生空気加熱装置１は除湿ローター３１の再生部４７に対応する部分の仕切板２２に係止されており、再生空気加熱装置１のケース２（図５に示す）は再生ファン３８により送風される再生空気を除湿ローター３１の再生部４７に導く送風ダクトの役割をもっている。
【００１７】
上記除湿ローター３１の再生部４７を通過した再生空気を集め、冷却して結露させ、水分を取り除く凝縮器３４に送り込む送風ダクト構造を、除湿ローター３１の再生部４７に対応する部分で、再生空気加熱装置１の反対側に除湿ローター３１を介して設けた図示しない再生ボックスで果たしている。
【００１８】
上記再生空気加熱装置１は、図２乃至図５に示すように実施の形態においては、加熱量の大きい第１の経路を加熱部９を通過する経路とし、加熱量の小さい第２の経路を加熱無しの経路、即ち、加熱部９を通過しない経路とに遮熱板４によって分割される。また、この遮熱板４は図面に示すように段付形状になっていて、小さい穴が全面にわたって網羅されている。
【００１９】
上記再生空気は、ケース２の開口部３より入り、第１の経路と第２の経路にそれぞれ送風量を分割し、その送風方向を略９０度曲げられて図５に矢示Ｂ、Ｃの如く、蓋６の開口穴７を通過して排出される。加熱部９を経由しない第２の経路（矢示Ｂ）と、矢示Ｃの如く、加熱部９に送られ、加熱部９を通過し熱風となって蓋６の開口穴７より排出される、加熱部９を経由する第１の経路とに分けて除湿ローター３１の再生部４７に送風される。
【００２０】
上記水分を吸着した吸湿剤を加熱して水分を吐き出させ、再生する再生部４７について説明すると、再生部４７に送風する再生空気はそのすべてを再生ヒーターである加熱部９にて加熱した熱風とすることは必ずしも必要ではない。加熱量の大きい第１の経路を通過した熱風の再生空気５２と、加熱量の小さい第２の経路を通過した再生空気５３とに再生空気を分けて除湿ローター３１の再生部４７に送風する。
【００２１】
上記加熱量の小さい第２の経路は、第１の経路の加熱量によっては、その余熱だけで十分であるから、加熱無しの経路とすることもできる。
【００２２】
そして、加熱量の大きい第１の経路を通過した熱風の再生空気５２が通過した再生部４７は暖められている。除湿ローター３１は回転しているから、次には暖められている除湿ローター３１の再生部４７に、加熱量の小さい第２の経路を通過した再生空気５３が、通過しても、余熱を有効に利用して、更に水分を取り出し再生させることができる。
【００２３】
図５にて矢示Ｂの如く、ケース２の開口部３より送風される加熱部９を経由しない第２の経路を通過する再生空気５３より、矢示Ｃの如く、ケース２の開口部３より、加熱部９を通過し熱風となって排出される加熱部９を経由する第１の経路の再生空気５２の風量が多くなって、除湿ローター３１の再生部４７に送風される。
【００２４】
なお、加熱量の小さい第２の経路を加熱無しではなく、多少の加熱量の経路とするには、図５にて矢示Ｂのケース２の開口部３を通過して後に、多少の加熱を再生ヒータ９の輻射熱や熱伝導から導かれたりするので、加熱部を設けることなく容易に熱量を受けることが可能である。
【００２５】
上記再生空気加熱装置１の各部の構造詳細を記載しておくと、ケース２はステンレス鋼板を絞ったもので、同じくステンレス鋼板の蓋６は除湿ローター３１側に僅かに凸状１０に形設して、中央部分には第１の経路５２と第２の経路５３とが合わさった開口穴７が設けられている。そして、ケース２の外側にはフランジ５が設けられ、複数個の小さい穴があり、上記蓋６の穴を合致して、蓋６をケース２に螺子固定している。
【００２６】
該蓋６は上記のように、第１の経路５２と第２の経路５３とが合わさった開口穴７が備えているが、この穴７の形状は、第１の経路５２と第２の経路５３より送風された空気を各々設けるのでなく一体化したために、穴の大きさは大きくなっている。
【００２７】
上記第１の経路５２と第２の経路５３用に各々に穴を設けると区切りしろがある形状になるためにこの区切りしろには局部的な熱が加わるために、熱変形を生じる恐れがあったが、この部分がないので熱変形のトラブルがなく除湿ロータとの接触が防止される。
【００２８】
また、蓋６はケース２を蓋状にして、再生空気の吹出し口を覆った構造で、外側部は全周にわたって除湿ロータ３１と反対側に縁立をしてあり、このため、ケース２との嵌合においても、加熱された再生空気が嵌合フランジ部５より漏れることはない。
【００２９】
そして、蓋６の再生空気の吹出し用の開口穴７において、除湿ロータ側３１に凸状１０に形設したもので、第１の経路側の開口部分に相当する穴７ａは除湿ローター３１の回転方向の上流側に配置し、加熱した空気は回転方向に引っ張られて、除湿ローター３１に送られる。また、第２の経路側の開口部分に相当する穴７ｂは除湿ローター３１の回転方向の下流側に配置された開口穴７ｂになっている。
【００３０】
上記加熱部９は、図３乃至図５に示すように放射状に拡がる３枚の絶縁材であるマイカ板１１に、コイル状ニクロム線ヒーターであって、１００Ｖ−２００Ｗのヒーター線１２と、１００Ｖ−３００Ｗのヒーター線１３の２個のヒーター線を、上下２段に、それぞれつずら折り状に折り曲げ固定したヒーター組品１６とする。
【００３１】
また、上記ヒーター線１２、１３は共通端子に１方側が接続され、他端は並列に接続されており、ヒーター線１２、１３のどちらか１方又は両方に選択的に通電可能である。つまり、２００Ｗ，３００Ｗ，５００Ｗの加熱量が適宜選択できる。
【００３２】
そして、ヒーターケース１４の内面には、温度ヒューズ２７、サーモスタット２８が配設され、万一の異常発熱の際は、このサーモスタット２８や温度ヒューズ２７が動作し、ヒーター線１２、１３への通電を停止する。
【００３３】
そしてまた、再生空気は閉回路で連続的に使用するが、どうしても湿気を含んでおり、温度が下がると結露が心配される。そこで、ケース２、蓋６および仕切板４はステンレス鋼板を使用し、結露しても、錆びることのないように配慮している。
【００３４】
なお、本発明は上記実施の形態に限定されるものではない。
【００３５】
【発明の効果】
本発明によれば、蓋を設けたことで再生空気の漏れをなくし、蓋に設けたられた開口穴を介して除湿材に送風することができる。
【００３６】
また、蓋に凸状を形設したことで、蓋に係る再生空気の熱風の影響度合いがなくなり、熱による蓋の変形が解消され、回転式除湿材との接触がなくなる。
【００３７】
さらに、蓋はケースに形成されたフランジの周囲の外側部が縁立されているため、ケースとの密着度が増し、さらに再生空気の漏れがなくなり、除湿材での再生効率を向上できる。
【図面の簡単な説明】
【図１】本発明の実施の形態に係る除湿機の全体構成の説明図である。
【図２】本発明の実施の形態に係る除湿機の再生ヒータ・再生ファン・熱回収熱交換器部分の斜視図である。
【図３】本発明の実施の形態に係る加熱部の平面図である。
【図４】本発明の実施の形態に係る再生ヒーターの平面図である。
【図５】本発明の実施の形態に係る加熱部のＡ−Ａ断面図である。
【図６】従来の除湿ローターを用いた回転式空気除加湿システムを説明する説明図である。
【図７】従来の加熱部の平面図である。
【符号の説明】
１  再生空気加熱装置
２  ケース
３  開口部
４  遮熱板
５  フランジ部
６  蓋
７  開口穴
８  スリット穴
９  加熱部
１２、１３  ヒーター線
１６  ヒーター組品
３１  除湿ローター（回転式除湿材）
３５  熱回収熱交換器
３８  再生ファン
４６  吸湿部
４７  再生部
５２  加熱量の大きい第１の経路を通過する再生空気
５３  加熱量の小さい第２の経路を通過する再生空気
【図１】
0003892600.tif 000002
【図２】
0003892600.tif 000003
【図３】
0003892600.tif 000004
【図４】
0003892600.tif 000005
【図５】
0003892600.tif 000006
【図６】
0003892600.tif 000007
【図７】
0003892600.tif 000008